(57)【特許請求の範囲】
【請求項１】
機械室の下面を形成するユニットベースと、前記機械室内に設けられた送風機と、ドレン水を受ける挿脱自在なドレン皿とを備えたショーケースにおいて、背面の上下の角部にスペーサが設けられると共に、前記ユニットベースには前記送風機を取り出し可能にする穿設孔が設けられ、この穿設孔が前記ドレン皿で被われると共に、前記送風機の交換作業時にショーケースの背面を下にして送風機の交換作業を行うことを特徴とするショーケース。
【請求項２】
前記送風機を機械室内の凝縮器に固定する固定板を設け、この固定板の上部の係合部を前記凝縮器の上部の係止部に係止し、前記固定板の下部を螺子により前記凝縮器の下部に固定していることを特徴とする請求項１記載のショーケース。
【請求項３】
前記係止部は、少なくとも前記凝縮器の上部に設けられて前記固定部を挟持する挟持部材と、この挟持部材に対向して設けられた突起部とから成ることを特徴とする請求項２記載のショーケース。
【発明の詳細な説明】
【０００１】
【発明の属する技術分野】
本発明は、機械室の下面にユニットベースを備え、前記機械室内に送風機とドレン皿を設けたショーケースに関するものである。
【０００２】
【従来の技術】
従来、送風機を有する冷却庫は、特開平５−２６６３３０号公報に示される如く、キャビネットの内部に冷凍機が設けられたものであって、冷凍機が取付けられたユニットベースの下部に設けられるドレン皿と、凝縮機からの排熱を熱風としてドレン皿に貯溜されたドレン水に吹きつける送風機とを具備しており、前記ユニットベースには熱風をドレン皿に導く通風口が開設されているものがある。
【０００３】
【発明が解決しようとする課題】
しかしながら、係る従来例では、送風機の故障が起きた場合に、背面から送風機に手指が届かないためユニットベースに送風機を固定している螺子を機械室の背面から外すことができなかった。そのため、送風機の交換作業は困難を究め、例えばユニットベース全体を本体から外して行っていたため、送風機の故障時は大掛かりな作業を必要としていた。
【０００４】
本発明は、係る従来の技術的課題を解決するために成されたものであり、ショーケースのユニットベースに通常はドレン皿により塞さがれる穿設孔を設けておき、送風機が故障した場合にはこの穿設孔から取出し可能とすることにより、容易に送風機の交換作業ができるショーケースを提供することを目的とするものである。
【０００５】
【課題を解決するための手段】
本発明の請求項１のショーケースは、機械室の下面を形成するユニットベースと、前記機械室内に設けられた送風機と、ドレン水を受ける挿脱自在なドレン皿とを備えたものであって、背面の上下の角部にスペーサが設けられると共に、前記ユニットベースには前記送風機を取り出し可能にする穿設孔が設けられ、この穿設孔が前記ドレン皿で被われると共に、前記送風機の交換作業時にショーケースの背面を下にして送風機の交換作業を行うものである。
【０００６】
請求項１の発明によれば、ユニットベースに設けられた穿設孔は通常時はドレン皿により塞さがれているので、凝縮器からの暖気がドレン皿の上方を流れてドレン水の蒸発の促進がされると共に、万一、送風機が故障した場合にはドレン皿を外し、ショーケースの背面を下にすることでこの穿設孔から送風機を取出すことができ、交換作業が容易にできる。尚、背面には樹脂製のスペーサが設けられているので、ショーケースの背面が床に直接接触することがなく、ショーケースも床を傷付くことはない。
【０００７】
請求項２の発明のショーケースは、請求項１において、前記送風機を機械室内の凝縮器に固定する固定板を設け、この固定板の上部の係合部を前記凝縮器の上部の係止部に係止し、前記固定板の下部を螺子により前記凝縮器の下部に固定しているものである。
【０００８】
請求項２の発明によれば、送風機を固定している固定板を凝縮器に固定するには、ユニットベースの穿設孔から遠方の固定板の係合部側を凝縮器の係止部に係止した後、ユニットベースの穿設孔に近い側の前記固定板の下部のみを螺子により前記凝縮器の下部に固定することにより、前記固定板を前記凝縮器に容易に固定できるので、請求項１の発明に比較してさらに、送風機の交換が容易である。
【０００９】
請求項３の発明のショーケースの前記係止部は、請求項２において、少なくとも前記凝縮器の上部に設けられて固定部を挟持する挟持部材と、この挟持部材に対向して設けられた突起部とから成るものである。
【００１０】
請求項３の発明によれば、送風機を固定している固定板の係合部が突起部と挟持部材により挟持されるため、送風機の回転により緩んで振動が発生することが無い。しかも、この突起部と挟持部材は、構造も簡単で容易に製作できるものである。
【００１１】
【発明の実施の形態】
以下、図面に基づき本発明の実施の形態を詳述する。図１は本発明を適用した実施例としてのショーケース１の正面図、図２はショーケース１の側面図、図３はショーケース１の背面図、図４は後パネル２を外した状態のショーケース１の背面図、図５はショーケース１の縦断側面図をそれぞれ示している。
【００１２】
ショーケース１は、例えばコンビニエンスストアのレジカウンタ上に載せて設置される卓上ショーケースであり、底部のユニットベース３上に取り付けられた断熱壁４と、この断熱壁４の上側に取り付けられた硬質樹脂製の底板６と、ユニットベース３の左右に立設された側板７、７と、これら側板７、７の上端間に架設された天板８と、これら底板６、側板７、７及び天板８の後縁で囲繞される後面の開口９を開閉自在に閉塞する扉１１などから構成され、これら扉１１、天板８、側板７、７及び底板６で囲繞される空間を前方に開口１２した陳列室１３としている。
【００１３】
そして、前記断熱壁４の下側のユニットベース３内空間を機械室１４としている。１６はユニットベース３の左右に取り付けられた補強用のアングルであり、１０、１０・・・は、背面の上下の角部に設けられた樹脂製のスペーサである。
【００１４】
前記断熱壁４は前部が低く後部が高い階段形状を呈しており、それによって前部に低位部４Ａが、後部に高位部４Ｂが構成されている。この低位部４Ａは後方に低く緩やかに傾斜しており、高位部４Ｂは前方に低く緩やかに傾斜している。また、これら高位部４Ｂと低位部４Ａを結ぶ縦壁部４Ｃは上部が少許後退した傾斜壁とされている。
【００１５】
そして、底板６は係る断熱壁４の低位部４Ａ、高位部４Ｂ及び縦壁部４Ｃと間隔を存して当該断熱壁４及びユニットベース３に被さるように取り付けられており、これによって同様の前部の低位部６Ａ、後部の高位部６Ｂ及びそれらの間の縦壁部６Ｃとが構成されている。そして、係る底板６と断熱壁４間に前下部から後上部に渡る冷却室１７が構成され、高位部４Ｂ上の冷却室１７内に冷却装置Ｒの冷凍サイクルを構成する冷却器１８が横設されると共に、縦壁部４Ｃの前側中央の冷却室１７内に送風機１９が設けられている。
【００１６】
また、冷却室１７内には冷却器１８の上面から縦壁部６Ｃの上部に渡る冷却器仕切板２１が取り付けられており、この冷却器仕切板２１と底板６間には間隔が形成されている。底板６の縦壁部６Ｃの上端には商品落下防止用のガード６Ｄが一体に立設されており、その下側には下部吐出口２２が形成されている。そして、前記冷却器仕切板２１はこの下部吐出口２２の下縁に連続し、これによって、冷却器仕切板２１と底板６間に、冷却器１８の後方から下部吐出口２２に渡る下部吐出ダクト２３が構成されている。尚、２４は送風機１９の周囲に取り付けられたファンケースである。
【００１７】
更に、底板６の縦壁部６Ｃも上部が少許後退した傾斜壁とされているが、その前面には下部吐出口２２を隠蔽する吐出ガイド２６が取り付けられ、下方に開放しており、また、下部吐出口２２の下方には突起２７が一体に形成されている。底板６の低位部６Ａも後方に緩やかに低く傾斜しているが、その前部は斜め前下方に屈曲され、そこに吸込口２９が形成されている。そして、この吸込口２９の前側には実開平５−４３４５８号公報に示される如き平面蛍光ランプ３１が立設され、陳列室１３の開口１２の下縁に位置している。この平面蛍光ランプ３１は前後方向に光を照射すると共に、その前面には所定の広告表示が施されている。
【００１８】
また、底板６の高位部６Ｂも後方に高くなるよう緩やかに傾斜しているが、その後端部は階段状に降下しており、冷却器１８の後側に位置する後壁部３３には連通孔３２が形成されている。尚、この連通孔３２が形成された底板６の後壁部３３は上部が前側となる傾斜面とされている。
【００１９】
一方、扉１１は硬質樹脂製の外面板３６と内面板３７間に断熱材３８を装填して構成され、例えば後から見て右側の上下をヒンジ３９にて天板８と底板６に回動自在に枢支されている。また、断熱材３８と内面板３７間には間隔が構成され、そこに上下に渡る後部ダクト４１が形成されている。
【００２０】
他方、天板８の内側にも断熱材４８が取り付けられており、この断熱材４８の下側には間隔を存して内面板４９が取り付けられ、この内面板４９と断熱材４８間に天部ダクト５１を構成している。
【００２１】
また、天部ダクト５１の前端は前下方に向けて開放し、そこに上部吐出口６１が形成されている。これにより、扉１１を閉じた状態では、下部の吸込口２９から冷却室１７に至り、冷却室１７から後部ダクト４１及び天部ダクト５１に渡って上部吐出口６１に至る一連の冷気循環ダクトが構成されることになる。
【００２２】
次に、機械室１４内の構成を説明する。ユニットベース３の前面及び左右側面にはスリット状の排気口３Ａが複数段形成されており、後面は開口されている。そして、この開口を前記後パネル２にて開閉自在に閉塞している。また、このユニットベース３には、後述するドレン皿６８の下面となる部分に略矩形の穿設孔９２が穿設されているが、この穿設孔９２の部分を除き、全体として断熱壁４の下方となるユニットベース３は閉塞されている。また、この穿設孔９２はドレン皿６８を設置すると閉塞され、かつ凝縮器用送風機６９がこの穿設孔９２から通過できる程の大きさのものである。
【００２３】
係るユニットベース３内に構成された機械室１４内には、前記冷却器１８と共に冷却装置Ｒの冷凍サイクルを構成する圧縮機６３、凝縮器６４、キャピラリチューブ（減圧装置）６６が設置され、更に、制御基板などを収納する電装箱６７やドレン皿６８、凝縮器用送風機６９なども設置されている。
【００２４】
この場合、図６に示す如く圧縮機６３は機械室１４内の向かって右奥部に設置されており、凝縮器６４は向かって左奥部に設置され、凝縮器用送風機６９は後述する固定板９３により凝縮器６４の前側に固定されている。尚、６３Ｄは圧縮機６３の吐出配管、６３Ｓは吸込配管である。前述の如く断熱壁４は前部に低位部４Ａを、また、後部に高位部４Ｂを備えているので、機械室１４の高さは前部が低く、後部が高い寸法となる。従って、この高さの高い部分を利用して寸法の嵩む圧縮機６３と凝縮器６４が並設されている。
【００２５】
また、凝縮器６４と凝縮器用送風機６９は略門型の取付板７２によってユニットベース３の底面から浮かせて取り付けられており、ドレン皿６８はこれら凝縮器６４と凝縮器用送風機６９の下側に後面の開口から挿脱自在に挿入されている。尚、７３はドレン皿６８内に収納された蒸発板であり、吸水性の部材から構成され、後述するドレン水の蒸発を促進させるものである。
【００２６】
凝縮器用送風機６９を凝縮器６４に固定する固定板９３は略コ字状のもので、送風機６４が固定される取付部９４と、この取付部９４から水平に延在する上下の水平部９５、９５と、さらに、この水平部９５、９５から上下にそれぞれ延在する上部フランジ（係合部）９６と下部フランジ９７とを有する。この下部フランジ９７には取付孔９８が穿設されている。凝縮器６４には、挟持部材８０が溶接されており、この挟持部材８０は、凝縮器６４に溶接された固定片８３と、この固定片８３に対して直角に折り曲げられて延在する折曲片８４と、この折曲片８４からさらに下方に延在する挟持片８５とを有するもので、この挟持片８５の側面には固定板９３の上部フランジ９６を囲む規制片８６と、凝縮器６４に溶接される第２の固定片８７とが形成されている（図７、図１１）。凝縮器６４の上部には、この挟持面８５に対向して、所謂ダボと言われる形状の突起部８８が設けられ、この挟持部材８０と突起部８８により係止部８９が構成されている。また、凝縮器６４の下部には図示しないネジ孔が穿設されている。
【００２７】
このような構成で、固定板９３の上部フランジ９６が凝縮器６４の係止部８９に差し込まれると共に、固定板９３の下部の取付孔９８を用いて螺子９０により凝縮器６４の下部の前記ネジ孔に螺合して固定することにより、凝縮器用送風機６９が凝縮器６４に固定される。
【００２８】
更に、後パネル２の凝縮器６４に対応する部分（後から見て右側）にはフィルタ７４が取り付けられた吸気口２Ａが形成されている。また、前記送風機１９を駆動するモータ１９Ｍは断熱壁４の縦壁部４Ｃの後側の機械室１４内に取り付けられ、圧縮機６３と凝縮器６４の間に配置されている。そして、モータ１９Ｍの回転軸は縦壁部４Ｃを貫通して送風機１９に連結されている。
【００２９】
更にまた、断熱壁４の高位部４Ｂの前部向かって左側には排水口７６が形成されており、この排水口７６からはドレンホース７７が断熱壁４を貫通して垂下し、その下端はドレン皿６８上に開口されている。冷却器１８から発生する除霜水や結露水等のドレン水は高位部４Ｂ上を伝って流下し、排水口７６に流入する。そして、排水口７６からドレンホース７７に流入し、ドレン皿６８内に排出される。
【００３０】
このように、圧縮機６３、凝縮器６４、凝縮器用送風機６９、ドレン皿６８、電装箱６７、モータ１９Ｍなどを配置しているので、狭い機械室１４内に支障無く整理して各機器を設置することができる。
【００３１】
以上の構成のショーケース１はコンビニエンスストアのレジカウンタ上に載置され、陳列室１３内にドリンク剤や缶飲料などの商品Ｖを収納し、陳列する。この場合、底板６の縦壁部６Ｃ前側の低位部６Ａ上には前面の開口１２から図５の如く商品Ｖを並べる。これにより、低位部６Ａ上は最下段の陳列面となる。このとき、低位部６Ａは後方に少許低く傾斜しているので、商品Ｖは前側に倒れること無く後側の突起２７や吐出ガイド２６に寄りかかるかたちとなる。
【００３２】
一方、中段（棚９１を架設しない場合には最上段となる）の陳列面となる底板６の高位部６Ｂや最上段の陳列面となる棚９１上には後面の扉１１を開いて開口９から商品Ｖを収納する。このとき、高位部６Ｂや棚９１は前側に低く少許傾斜しているので、商品Ｖは後方から順次円滑に収納できる。また、高位部６Ｂや棚９１は前部が低くなっていることから顧客は商品Ｖを見やすくなると共に、顧客が最前列の商品Ｖを取り出した場合には自動的にその後の商品Ｖが最前列に移動するようになる。
【００３３】
そして、電源を投入して運転を開始すると、先ず平面蛍光ランプ３１が点灯して前方に広告文字などを浮き上がらせ、且つ、後方の陳列室１３内を照明する。また、圧縮機６３、送風機１９（のモータ１９Ｍ）、凝縮器用送風機６９が運転されると、圧縮機６３の吐出配管６３Ｄから吐出された高温高圧のガス冷媒は凝縮器６４に流入し、そこで凝縮器用送風機６９によって通風される外気によって凝縮液化される。凝縮された液冷媒はキャピラリチューブ６６で減圧された後、冷却器１８に流入して蒸発する。
【００３４】
このときに冷却室１７内の空気から熱を奪って冷却効果を発揮する。冷却器１８から出た冷媒は吸込配管６３Ｓから圧縮機６３に吸い込まれ、再び圧縮される。そして、送風機１９が運転されると、図５に矢印で示す如く、吸込口２９側から空気を吸引して冷却器１８方向に吐出する。冷却器１８と熱交換して冷却された冷却室１７内の冷気は、連通孔３２から出て連通孔４３から後部ダクト４１内に入る。そして、後部ダクト４１内を上昇し、連通孔４２、５３を経て天部ダクト５１に入って前方に移動した後、吐出口６１から陳列室１３の前面開口１２に向けて吐出される。
【００３５】
吐出口６１から吐出された冷気は開口１２にエアーカーテンを形成しながら吸込口２９に向かい、平面蛍光ランプ３１に案内されて送風機１９の吸引力により吸込口２９に吸い込まれる。そして、エアーカーテンの一部が陳列室１３内に循環されて陳列室１３内は所定温度に冷却される。また、冷却器１８から出た冷気の一部は下部吐出ダクト２３に入り、そこを前方に移動して下部吐出口２２から縦壁部６Ｃ前方に吐出される。
【００３６】
次に、吐出口６１からの距離が遠くなる最下段の陳列面の低位部６Ａ上は冷却効果が低下し勝ちとなるが、下部吐出口２２から直接冷気を供給しており、係る冷却不足は解消される。また、下部吐出口２２には吐出ガイド２６が設けられ、その下方には突起２７が形成されているので、下部吐出口２２からの冷気吐出や冷気循環が低位部６Ａ上の商品Ｖで阻害されることも無い。
【００３７】
他方、凝縮器用送風機６９が運転されると、後パネル２の吸気口２Ａから外気が吸引され、凝縮器６４に通風した後、前方のドレン皿６８に吹き付けられる。これによって、ドレン皿６８内のドレン水は蒸発される。このとき、ユニットベース３に穿設された穿設孔９２は、ドレン皿６８が設置されて閉塞されているため、穿設孔９２から外気が侵入し、凝縮器６４の暖気が乱されないようにし、この暖気が円滑にドレン皿６８及び蒸発板７３の上方を流れてドレン水の蒸発を促進させる。また、凝縮器６４を空冷して温度上昇した暖気や圧縮機６３から生じる暖気は、一部はユニットベース３周囲の排気口３Ａから外部に流出するが、残りはユニットベース３の両側後部の切欠３Ｂ部分に至り、当該切欠３Ｂから外部に流出する。この切欠３Ｂから流出した暖気は側板７に流れて結露しやすい側板を暖め、結露を防止する。
【００３８】
次に、凝縮器用送風機６９が故障した場合の交換の方法について説明する。前述の如く断熱壁４は前部に低位部４Ａを、また、後部に高位部４Ｂを備えているので、機械室１４の高さは前部が低く、後部が高い寸法となっている。そのため、ショーケース１の前方から手指を入れることができず、凝縮器用送風機６９を交換しようとしても不可能である。また、凝縮器用送風機６９を凝縮器６４に固定している固定板９３はショーケース１の背面側から見て凝縮器６４の裏側（ショーケースの前方側）にあるため、ショーケース１の後方からも、同様に凝縮器用送風機６９を外すことができない。しかしながら、ユニットベース３には、前述の如く、凝縮器用送風機６９が通過できる程の大きさの穿設孔９２が穿設されている。しかも、このショーケース１は、コンビニエンスストアのレジカウンタ上に載置される如く、重量が軽いので、ショーケース１の背面を下にして床に置くことも容易である。そこで、まず、後パネル２を外し、ショーケース１の後方からドレン皿６８を取出してから、陳列室１３内のドリンク剤や缶飲料などの商品Ｖを取出し、背面を下にして床に置く。尚、背面には前述のように樹脂製のスペーサ１０、１０・・・が設けられているので、ショーケース１の背面が床に直接接触することがなく、ショーケース１も床も傷付くことはない。次に、ユニットベース３に穿設された穿設孔９２から工具を入れて、固定板９３の下部を固定している螺子９０を外し、上部フランジ９６を凝縮器６４の係止部８９から外して（図１２）、凝縮器用送風機６９と固定板９３を穿設孔９２から取り出す。そして、凝縮器用送風機６９を固定板９３から外し、良品のものと交換する。
【００３９】
その後は、まず、ユニットベース３に穿設された穿設孔９２から凝縮器用送風機６９と固定板９３を挿入し、固定板９３の上部を凝縮器６４の係止部８９に挟持させると共に、固定板９３の下部を螺子９０により固定する。そして、ショーケース１を起こし、陳列室１３内にドリンク剤や缶飲料などの商品Ｖを載置してから、ショーケース１の後方からドレン皿６８を挿入し、ユニットベース３に穿設されている穿設孔９２を閉塞させる。その後、後パネル２を取り付ける。
【００４０】
このように、ドレン皿６８により通常時は閉塞される穿設孔９２をユニットベース３に設けてあるため、凝縮器６４からの暖気がドレン皿６８の上方を流れてドレン水の蒸発の促進がされると共に、万一、凝縮器用送風機６９が故障した場合にはこの穿設孔９２から凝縮器用送風機６９を取出すことが可能であるため、交換作業が容易にできる。
【００４１】
また、前述のように、突起部８８が設けられ、この挟持部材８０と突起部８８により係止部８９が構成されているため、前記の交換作業が容易に行えると共に、凝縮器用送風機６９の回転により固定板９３の螺子９０が緩むことがなく、したがって、振動や騒音を発生しない。
【００４２】
【発明の効果】
以上詳述した如く本発明によれば、背面の上下の角部にスペーサが設けられると共に、ショーケースのユニットベースに通常はドレン皿により閉塞される穿設孔を設け、前記送風機の交換作業時にショーケースの背面を下にして送風機の交換作業を行うことにより、送風機が故障した場合にはショーケースの背面を下にしてこの穿設孔から取出し可能となり、容易に送風機の交換作業が行える。尚、背面には樹脂製のスペーサが設けられているので、ショーケースの背面が床に直接接触することがなく、ショーケースも床を傷付くことはない。また、係止部に容易に係止できる構成であるので、前記の交換作業が容易に行えると共に、凝縮器用送風機の回転により固定板の螺子が緩むことがなく、したがって、振動や騒音を発生しない。
【図面の簡単な説明】
【図１】本発明のショーケースの正面図である。
【図２】本発明のショーケースの側面図である。
【図３】本発明のショーケースの背面図である。
【図４】本発明のショーケースの後パネルを除く背面図である。
【図５】本発明のショーケースの縦断側面図である。
【図６】本発明のショーケースの機械室部分の平断面図である。
【図７】図５の断面Ａ−Ａにおける要部詳細図である。
【図８】図７からドレン皿と蒸発板を外した状態を示す平断面図である。
【図９】ユニットベース、凝縮器、凝縮器用送風機、固定板、ドレン皿及び蒸発板を示す要部側面図である。
【図１０】凝縮器用送風機を交換する状態を示す要部側面図である。
【図１１】図９のＡ部詳細図である。
【図１２】凝縮器の係止部から固定板を外す状態を示す要部詳細図である。
【符号の説明】
１  ショーケース
３  ユニットベース
９、１２  開口
１０  スペーサ
１１  扉
１３  陳列室
１４  機械室
６８  ドレン皿
６９  （凝縮器用）送風機
７３  蒸発板
８０  挟持部材
８１  補強板
８２  外側板
８３  固定片
８４  直角片
８５  挟持片
８６  規制片
８７  第２の固定片
８８  突起部
８９  係止部
９３  固定板
９６  上部フランジ（係合部）
【図１】
0003831568.tif 000002
【図２】
0003831568.tif 000003
【図３】
0003831568.tif 000004
【図４】
0003831568.tif 000005
【図５】
0003831568.tif 000006
【図６】
0003831568.tif 000007
【図７】
0003831568.tif 000008
【図８】
0003831568.tif 000009
【図９】
0003831568.tif 000010
【図１０】
0003831568.tif 000011
【図１１】
0003831568.tif 000012
【図１２】
0003831568.tif 000013